(57)【要約】【課題】電化製品の新規購入において、電化製品の販売価格とランニングコストを合算して表示し、製品のランニングコストを考慮した購買方法を提供すること。【解決手段】検索条件入力部２０１、販売価格情報取得部２０２、製品仕様情報取得部２０３、電力料金目安単価取得部２０４、ランニングコスト演算部２０５、編集情報出力部２０６を有し、電化製品の消費電力量とユーザにより入力された電化製品の使用時間、使用期間及び電力料金目安単価に基づき、ランニングコストを算出し、製品の販売価格とランニングコストを合算する。【選択図】図１
2007287061.tif 000002
【特許請求の範囲】
【請求項１】
電化製品の情報を検索するコンピュータにより実行可能な電化製品検索プログラムであって、予め記憶されたアドレスに基づいて電化製品の製品名、メーカ名、販売店及び販売価格情報を取得し、取得した当該電化製品の製品名からランニングコストを求め、当該求めたランニングコストと前記製品の販売価格とを合算し表示することを特徴とする電化製品検索プログラム。
【請求項２】
請求項１に記載の電化製品検索プログラムにおいて、前記電化製品に関するランニングコストは、予め記録されたアドレスに基づいて取得した、前記電化製品の省エネ法に基づいたエネルギー消費効率の測定方法によって測定された消費電力量と、ユーザにより入力された電化製品の使用時間、使用期間及び予め取得した電力料金目安単価によって求めることを特徴とする電化製品検索プログラム。
【請求項３】
請求項１に記載の電化製品検索プログラムにおいて、製品のランニングコストは、予め記憶されたアドレスに基づいてアクセスしたサイトから取得した情報であることを特徴とする製品価格検索プログラム。
【発明の詳細な説明】
【技術分野】
【０００１】
本発明は家電などの電化製品の検索で検索結果表示をするものに係わり、特に抽出された電化製品について電化製品ランニングコストを求める技術に関する。
【背景技術】
【０００２】
従来、特許文献１に記されているように、ユーザが保有する電化製品の機種、その使用時間情報及びその消費エネルギー情報から、ユーザが保有する製品のランニングコストを算出し、ユーザが保有する電化製品のランニングコストを低減できる電化製品を提案するシステムが知られている。
【０００３】
【特許文献１】特開２００２−２８８３２６号公報
【発明の開示】
【発明が解決しようとする課題】
【０００４】
従来技術は、ユーザが使用中の電化製品を買い換える際に、その電化製品のランニングコストを低減する新たな電化製品を提案しているが、ユーザが使用していない電化製品を新たに購入する場合の観点でランニングコストが算出されるものではない。また、複数の電化製品を販売価格とランニングコストを含めた価格で比較することができるものではない。
【０００５】
本発明の目的は、新規に電化製品を購入する場合に、電化製品の販売価格に、電化製品のランニングコストを合算した価格で、電化製品の価格を比較するシステムを提供することころにある。
【課題を解決するための手段】
【０００６】
上記目的を達成するための一つの手段として、電化製品の情報を検索するコンピュータにより実行可能な電化製品検索プログラムであって、予め記憶されたアドレスに基づいて電化製品の製品名、メーカ名、販売店及び販売価格情報を取得し、取得した当該電化製品の製品名とメーカ名から、電化製品の消費電力量情報を取得し、取得した消費電力量情報と予め取得してある電力料金単価情報からランニングコストを求め、当該求めたランニングコストと前記電化製品の販売価格とを合算し表示する。ここで、消費電力量とは、省エネ法に基づいたエネルギー消費効率の測定方法によって測定された年間消費電力量等の情報を利用する。また、電力料金単価とはＷｅｂサイトが提供している電力料金目安単価を利用する。
【発明の効果】
【０００７】
本発明によれば、顧客が新規に電化製品を購入する際に、電化製品のランニングコストを含めたトータルコストにより、電化製品の比較が可能になる。
【発明を実施するための最良の形態】
【０００８】
以下、本発明の実施の形態を、図面を用いて詳細に説明する。
【０００９】
図１は、本発明を実現する構成の一例を示したものであり、複数の価格検索サイト１００、複数の電化製品メーカサイト１０１、電力料金目安単価提供サイト１０２、電化製品検索サーバ１０４、電化製品検索サーバ１０４を利用するための複数の端末装置１０３がネットワーク１０５を介して接続された構成となっている。ここで、価格検索サイト１００は、検索エンジンを有しており、電化製品検索サーバ１０４経由で端末装置１０３から送られてくるユーザのキーワードに基づいて、電化製品の製品名、メーカ名、販売店、販売価格の情報を提供するものである。電化製品メーカサイト１０１は、メーカごとに設けられたサイトであり、電化製品検索サーバ１０４が、価格検索サイト１００から取得した情報の製品名に基づいて、電化製品の製品仕様を提供するものである。電力料金目安単価提供サイト１０２は、電力料金目安単価の情報を提供するものである。電化製品検索サーバ１０４は、ＣＰＵ１２０、メモリ１１０、外部記憶装置１３０を基に構成されており、メモリ１１０上にトータルコスト算出プログラム２００を有し、端末装置１０３から送られてくる情報に基づいて、電化製品のトータルコストを算出して、端末装置１０３へ検索結果を提供するものである。ここで、外部記憶装置１３０はデータ保存領域３００を有し、データ保存領域３００には、価格検索サイト１００、電化製品メーカサイト１０１、電力料金目安単価提供サイト１０２へアクセスするためのアドレス及び省エネ法に基づいたエネルギー消費効率の測定方法の情報記録されている。
【００１０】
図２は、トータルコスト算出プログラム２００の機能構成を示したものである。これは、例えば、ＣＤ−ＲＯＭ等によって提供されるプログラムであり、図１の電化製品検索サーバ１０４で起動され、利用される。トータルコスト算出プログラム２００は、検索条件入力部２０１、販売価格情報取得部２０２、製品仕様情報取得部２０３、電力料金目安単価取得部２０４、ランニングコスト演算処理部２０５、編集情報出力部２０６を有している。検索条件入力部２０１は、電化製品の検索を行うための条件を入力する画面を提供し、電化製品の検索条件を取得するものである。販売価格情報取得部２０２は、検索条件入力部２０１が取得した電化製品の製品名に基づいて、価格検索サイト１００にアクセスし、検索することによって得られた電化製品の製品名、メーカ名、販売店及び販売価格の情報をデータ保存領域３００に格納するものである。製品仕様情報取得部２０３は、販売価格情報取得部２０２が価格検索サイト１００から取得した製品名とメーカ名を基に、電化製品メーカサイト１０１へアクセスし、検索することによって得られた電化製品の消費電力量の情報をデータ保存領域３００に格納するものである。電力料金目安単価取得部２０４は、電力料金目安単価提供サイト１０２へアクセスし、検索することによって得られた電力料金目安単価の情報をデータ保存領域３００に格納するものである。ランニングコスト演算部２０５は、販売価格情報取得部２０２によって価格検索サイト１００で検索された各電化製品のランニングコストを、検索条件入力部２０１により得られた一日の使用時間及び使用期間と製品仕様情報取得部２０３により得られた各電化製品の消費電力量、電力料金目安単価取得部２０４により得られた電力料金目安単価より算出するものである。編集情報出力部２０６は、検索条件入力部２０１、販売価格情報取得部２０２、製品仕様情報取得部２０３、電力料金目安単価取得部２０４、ランニングコスト演算部２０５の各部で取得した情報、もしくは算出した値を編集し、検索結果画面を端末装置１０３へ提供する。
【００１１】
図３は、トータルコスト算出プログラムの２００の処理を示した図である。検索対象の電化製品の例としてテレビを挙げ、説明する。
【００１２】
最初にユーザは端末装置１０３から製品検索サーバ１０４へアクセスし、検索条件入力部２０１により、検索条件入力画面４００を得る。検索条件入力画面４００の画面例を図４に示す。ユーザは検索条件入力画面４００で、検索対象の電化製品名４０１、電化製品の一日の使用時間４０２、電化製品の使用期間４０３を入力し、検索ボタン４０４をクリックする。例えば、テレビを一日４．５時間、１０年間使用する条件を指定する。検索ボタン４０４をクリックすると検索条件入力部２０１は、入力された情報をデータ保存領域３００へ格納する（３０１）。
【００１３】
次に３０１で入力された電化製品名から製品名、メーカ名、販売店及び販売店での販売価格の情報を取得する。販売価格情報取得部２０２は、検索条件入力部が検索条件をデータ保存領域に格納すると、価格検索サイト１００へアクセスし、データ保存領域３００に格納された検索キーワード基づいて、電化製品の製品名、メーカ名、販売店及び販売店での販売価格情報を取得し、データ保存領域３００へ格納する。取得情報の例を図５に示す。図５は、テレビを検索のキーワードとして得られた販売価格情報の例であり、メーカＡ製プラズマテレビＡ、メーカＢ製プラズマテレビＢ及びメーカＡ製液晶テレビの販売店ＡＡ、販売店ＢＢ、販売店ＣＣでの販売価格情報である。この情報では、販売店ＡＡで販売されているメーカＡのプラズマテレビＡが最も安く購入できる製品となっているが、製品のランニングコストを考慮したトータルコストでは、最も安く購入できる製品かの判断はできない（３０２）。
【００１４】
次に３０２で販売価格情報取得部２０２が取得した各製品の消費電力量情報を取得する。製品仕様情報取得部２０３は、販売価格情報部２０２が取得した各製品のメーカ名を基に各製品の製造元である電化製品メーカサイト１０１へアクセスし、価格検索サイト１００から取得した各電化製品の消費電力量情報を取得する。テレビの場合、年間消費電力量が、省エネ法に基づいたエネルギー消費効率の測定方法によって測定された情報であり、一般家庭での平均視聴時間である４．５時間を基準に算出した、一年間に使用する電力量を表す。この情報は、例えば、財団法人省エネルギーセンターのサイトから取得でき、予めデータ保存領域３００に格納されている。（ｈｔｔｐ：／／ｗｗｗ．ｅｃｃｊ．ｏｒ．ｊｐ）取得情報の例を図６に示す（３０３）。
【００１５】
次に電力料金目安単価提供サイト１０２から電力料金目安単価情報を取得する。電力料金目安単価取得部２０４は、電力料金目安単価提供サイト１０２へアクセスし、電力料金目安単価の情報を取得し、データ保存領域３００へ格納する（３０４）。電力料金目安単価提供サイト１０２としては、例えば(社)全国家庭電気製品公正取引協議会が提供しているサイトがある（ｈｔｔｐ：／／ｗｗｗ．ｅｆｔｃ．ｏｒ．ｊｐ／）。前記サイトから電力料金目安単価２２円／ｋＷｈの情報を取得できる。また、他の方法として、各電力会社から提供されている電力料金計算方法を採用することもできる。
【００１６】
次にランニングコストを算出する。ここでは、検索条件入力部２０１が取得した電化製品の一日の使用時間４０２と製品の使用期間４０３、製品仕様取得部２０３が取得した電化製品の消費電力量、電力料金単価取得部２０４が取得した電力料金目安単価から、販売価格情報取得部２０２が取得した各電化製品のランニングコストを計算する。例えば、プラズマテレビＡのランニングコストを算出する場合、テレビＡの年間消費電力量が、一般家庭での平均視聴時間である４．５時間を基準に算出した、一年間に使用する電力量であることから、検索条件入力部２０１が取得した電化製品の一日の使用時間と使用期間から、使用期間内消費電力量［ｋＷｈ］を（年間消費電力量［ｋＷｈ］×一日の使用時間［時間］×使用期間［年］×３６５）／（３６５×４．５）の計算式で算出することができる。そして、使用期間内消費電力量と電力料金目安単価から、使用期間中の電力料金であるランニングコストを使用期間内消費電力量［ｋＷｈ］×電力料金目安単価［円］の計算式で算出することができる。プラズマテレビＡの年間消費電力は２９０ｋＷｈ、ユーザが端末装置１０３で入力し、検索条件入力２０１がデータ保存領域３００に格納した情報は一日の使用時間が４．５時間、使用期間が１０年間であることから、プラズマテレビＡの使用期間内消費電力量［ｋＷｈ］は（２９０×４．５×１０×３６５）／（３６５×４．５）＝２，９００となり、ランニングコスト［円］は２，９００×２２＝６３，８００となる。（３０５）。
【００１７】
次に電化製品の販売価格とランニングコストを合算し、トータルコストを求め、３０２で販売価格情報取得部２０２が取得した製品名、メーカ名、販売店及び販売店での販売価格の情報に電化製品のトータルコストの情報を追加する。トータルコストは、販売店での販売価格と３０５で求めた電化製品のランニングコストを合算したものである。トータルコストの情報を追加した例を図７に示す（３０６）。
【００１８】
次に３０６で作成したリストをトータスコストの昇順のソートする（３０７）。
【００１９】
次に３０７で作成したリストを基づき、編集情報出力部２０６で、ユーザへ提供する画面として編集し、端末装置１０３へ送信し、端末装置１０３へ表示させる。検索結果画面の例を図８に示す。図８によると、トータルコストで最も安く購入できる製品は、販売店ＢＢで販売されている液晶テレビＡで２６４，２８０円となる。しかし、販売店ＢＢで販売されている液晶テレビＡの販売価格は２１５，０００円であり、販売価格で比較すると、販売店ＡＡで販売されているプラズマテレビＡの販売価格２０３，７００円より販売価格が高いことがわかる。すなわち、販売店ＢＢの液晶テレビＡを購入した場合、販売価格では、販売店ＡＡのプラズマテレビＡを購入するより、１１，３００円多く支払うことになるが、トータルコストで比較した場合、販売店ＡＡのプラズマテレビＡを購入するより、販売店ＢＢの液晶テレビＡを購入した方が３，２２０円得することになる。（３０８）。
【図面の簡単な説明】
【００２０】
【図１】本発明のシステム構成を示した図である。
【図２】トータルコスト算出プログラムの機能構成を示した図である。
【図３】トータルコスト算出プログラムの処理を示した図である。
【図４】検索条件入力画面の一例を示した図である。
【図５】販売価格情報取得部が取得するリストの一例を示した図である。
【図６】製品仕様情報取得部が取得するリストの一例を示した図である。
【図７】ランニングコスト演算部が生成するリストの一例を示した図である。
【図８】検索結果画面の一例を示した図である。
【符号の説明】
【００２１】
１００…価格検索サイト、１０１…電化製品メーカサイト、１０２…電力供給会社サイト、１０３…端末装置、１０４…電化製品検索サーバ、１０５…情報ネットワーク、１１０…メモリ、１２０…ＣＰＵ、１３０…外部記憶装置、２００…トータルコスト算出プログラム、２０１…検索条件入力部、２０２…販売価格情報取得部、２０３…製品仕様情報取得部、２０４…電力量単価取得部、２０５…ランニングコスト演算部、２０６…編集情報出力部、３００…データ保存領域、４００…ユーザ情報入力画面、８００…検索結果画面。
【図１】
2007287061.tif 000003
【図２】
2007287061.tif 000004
【図３】
2007287061.tif 000005
【図４】
2007287061.tif 000006
【図５】
2007287061.tif 000007
【図６】
2007287061.tif 000008
【図７】
2007287061.tif 000009
【図８】
2007287061.tif 000010